(57)【要約】【課題】  部材の輸送中や施工中において、通気弁に対して衝撃が加わった際における弁体の外れ防止を課題とする。【解決手段】  通気弁１は、外部と配管Ｐを繋ぐ連通口４３を備える通気弁本体２と、通気弁本体２内部に配置された、軟質材から成る弁体６を備えている。弁体６は、配管Ｐ内が負圧になった際に変位するとともに、連通口４３を開閉する開閉部６１と、弁体６の変位方向に延設され、弁体６の変位を案内する弁軸６２を有している。弁軸６２は開閉部６１の中央裏面より下方に向けて延設され、軸受け４６に挿通されていると共に、外周に剛性部材７が取り付けられている。剛性部材７はＰＰ等の非耐熱性の硬質樹脂であって、弁体６を構成する軟質材よりも剛性が高く、且つ摩擦係数の低い素材から成り、一部が切り欠かれた断面視Ｃ字状のリング体を成している。【選択図】図３
2020122527.tif 000002
【特許請求の範囲】
【請求項１】
配管に接続され、外部の空気を配管内に導入することで負圧を解消する通気弁であって、
外部と配管を繋ぐ連通口を備える通気弁本体と、
通気弁本体内部に配置された、軟質材から成る弁体を備え、
上記弁体は、配管内が負圧になった際に変位するとともに、
連通口を開閉する開閉部と、
弁体の変位方向に延設され、弁体の変位を案内する弁軸を有し、
上記弁軸は、硬質材から成る剛性部材が取り付けられていることを特徴とする通気弁。
【請求項２】
上記弁体は、
弁軸が軟質材から成ることを特徴とする請求項１に記載の通気弁。
【請求項３】
上記剛性部材は、
断面視略Ｃ字形状のリング体であることを特徴とする請求項１又は請求項２に記載の通気弁。
【請求項４】
上記剛性部材は、
２つ以上の部材を組み合わせて構成されることを特徴とする請求項１乃至請求項３のいずれか１つに記載の通気弁。
【請求項５】
上記剛性部材は、
弁軸の外側に配置されていることを特徴とする請求項１乃至請求項４のいずれか１つに記載の通気弁。
【請求項６】
上記剛性部材は、
弁軸の内側に配置されていることを特徴とする請求項１乃至請求項４のいずれか１つに記載の通気弁。
【発明の詳細な説明】
【技術分野】
【０００１】
本発明は、配管に接続される通気弁に関するものである。
【背景技術】
【０００２】
洗面台や流し台、浴槽等の設備機器は、その使用に伴い発生する排水を下水側へ排出するための配管が連続している。このような配管は、内部に大量の排水が流れた際等に、サイフォン現象が生じることによって配管内が負圧となる場合がある。この時、配管内の排水は負圧によって勢いよく下流側へと排出される。
ここで、配管には、内部に排水を貯留し、配管内の一部を排水で満たすことで封水を形成し、下水側からの臭気や害虫等が逆流することを防ぐ排水トラップが取り付けられている。しかし、上記サイフォン現象が生じると、排水終了時に封水が負圧によって引き込まれて下水側へと排出されてしまい、排水トラップの逆流防止機能が破壊されてしまうことがあった。
【０００３】
そこで、配管に対して通気弁を接続することによって、上記負圧を解消させる構造が知られている。
通気弁は外部と配管を繋ぐ連通口を備える通気弁本体と、通気弁本体に配置された弁体を備えている。弁体は連通口を開閉する開閉部と、開閉部の中心において、弁体の変位方向に延設された軸部を備えている。
上記通気弁は、配管内に負圧が生じた際に弁体が軸方向に沿って変位し、連通口を開放する。この時、連通口を通じて外部の空気を配管内に導入されることで、配管内の負圧が解消される。尚、配管内に正圧が生じた際、又は配管内と外部の大気圧が等しい状態において、弁体は通気口を閉塞していることによって、配管内の臭気や排水、害虫等が配管よりも外側に漏れ出すことはない。
【先行技術文献】
【特許文献】
【０００４】
【特許文献１】特開２０１６−０９００３６号公報
【発明の概要】
【発明が解決しようとする課題】
【０００５】
ここで、上記通気弁は、弁体が変位する幅よりも弁軸が長く構成されていることにより、通気弁本体から弁体が外れることを防止している。しかし、弁体は開閉部及び弁軸がゴム等の弾性材により一体形成されていることから、部材の輸送中や設備機器の施工中において、通気弁に衝撃が加わった際に弁軸が変形し、通気弁本体から弁体が外れてしまうことがあった。
【０００６】
本発明は上記問題点に鑑み発明されたものであって、弁軸の変形に伴う弁体の外れ防止を課題とする。又、当該弁体に関し、安価に製造可能且つ生産性を向上させることを課題とする。
【課題を解決するための手段】
【０００７】
上記課題を解決するための請求項１に記載の本発明は、配管に接続され、外部の空気を配管内に導入することで負圧を解消する通気弁であって、
外部と配管を繋ぐ連通口を備える通気弁本体と、
通気弁本体内部に配置された、軟質材から成る弁体を備え、
上記弁体は、配管内が負圧になった際に変位するとともに、
連通口を開閉する開閉部と、
弁体の変位方向に延設され、弁体の変位を案内する弁軸を有し、
上記弁軸は、硬質材から成る剛性部材が取り付けられていることを特徴とする通気弁である。
【０００８】
請求項２に記載の本発明は、上記剛性部材は、
断面視略Ｃ字形状のリング体であることを特徴とする請求項１に記載の通気弁である。
【０００９】
請求項３に記載の本発明は、上記剛性部材は、
２つ以上の部材を組み合わせて構成されることを特徴とする請求項１は請求項２に記載の通気弁である。
【００１０】
請求項４に記載の本発明は、上記剛性部材は、
弁軸の外側に配置されていることを特徴とする請求項１乃至請求項３のいずれか１つに記載の通気弁である。
【００１１】
請求項５に記載の本発明は、上記剛性部材は、
弁軸の内側に配置されていることを特徴とする請求項１乃至請求項３のいずれか１つに記載の通気弁である。
【発明の効果】
【００１２】
上記本発明によれば、弁軸に対して、硬質材から成る剛性部材が取り付けられていることから、弁軸の変形を防ぐことによって、弁体の脱落を防止することが可能となる。
ここで、一般的なゴム等の軟質材から成る部材の成形を行う際には、金型を高温にして成形する。従って、剛性部材が非耐熱素材である場合、インサート成形による部材の作成を行うことができず、剛性部材を金属等の耐熱素材とした場合、製品単価が増加してしまう。しかし、本発明の通気弁においては、剛性部材は成形が完了した弁体に対して取り付ける構造となっていることから、剛性部材の材質を非耐熱素材とすることが可能となり、安価に通気弁を製造することが可能となる。又、剛性部材が断面視略Ｃ字状のリング体や２つ以上の部材を組み合わせて構成されることから、成形が完了した弁体に対して容易に取り付けを行うことができ、生産性が向上する。
【図面の簡単な説明】
【００１３】
【図１】本発明の第一実施形態を示す断面図である。
【図２】通気弁の構成を示す分解斜視図である。
【図３】通気弁を示す断面図である。
【図４】図３のＡ−Ａ’断面図である。
【図５】本体部を示す斜視図である。
【図６】弁体の構成を示す分解斜視図である。
【図７】通気時における弁体の変位を示す断面図である。
【図８】図７のＡ−Ａ’断面図である。
【図９】第二実施形態に係る弁体を示す分解斜視図である。
【図１０】第三実施形態に係る弁体を示す（ａ）断面図（ｂ）（ａ）のＡ−Ａ’断面図である。
【図１１】第四実施形態に係る弁体を示す（ａ）断面図（ｂ）（ａ）のＡ−Ａ’断面図である。
【発明を実施するための形態】
【００１４】
以下、図面を参照しながら本発明の第一実施形態を説明する。尚、以下に記載する説明は実施形態の理解を容易にするためのものであり、これによって発明が制限して理解されるものではない。又、特に断りのない限りにおいて、上下左右は図１に示す断面図を基準として説明する。尚、図７及び図８において、配管Ｐ内が負圧となった際の空気の流れを矢印にて示している。
【００１５】
図１乃至図８に示す、本発明の第一実施形態に係る通気弁１は、流し台等の槽体（図示せず）から連続する配管Ｐに接続されている。配管Ｐは内部に排水が流れる排水流路を形成する排水配管であり、槽体から流れた排水を下水側へと排出する。
排水トラップ８は上記配管Ｐの流路中に形成されており、排水流路を屈曲させることによって形成された側面視略Ｓ字形状を成す排水配管であって、第一の下り部８１、第一屈曲部８２、昇り部８３、第二屈曲部８４、第二の下り部８５から構成されている。第一の下り部８１は排水を下方に向けて排出するとともに、その下端において第一屈曲部８２と連続している。第一屈曲部８２は排水流路を約１８０度屈曲させ、第一の下り部８１と昇り部８３を繋ぐとともに、底部に清掃口が形成されている。第二屈曲部８４は昇り部８３と第二の下り部８５を繋ぐ屈曲部分であり、その頂点に通気弁１が取り付けられている。第二の下り部８５は更に下流側の排水配管と接続され、槽体からの排水を下流側へと排出する。
上記排水トラップ８は第一屈曲部８２の周辺において、内部に流入した排水を貯留する封水部８６を形成する。当該封水部８６は貯留された排水によって排水トラップ８内の排水流路を排水で満たすことで封水を形成し、閉塞することによって下流側からの臭気や害虫が逆流することを防ぐ逆流防止機能を備えている。
【００１６】
図１乃至図４に示すように、通気弁１はカバー体３及び本体部４から成る通気弁本体２と、通気弁本体２に配置された逆流防止弁である弁体６を備えており、アダプター５を介して配管Ｐに接続されている。
【００１７】
カバー体３は通気弁１の上面を覆う円筒状の被覆部材であり、外周において、本体部４に形成された係合部４７と係合する被係合部３１が開口している。又、カバー体３はその中心の裏面において、上昇した弁体６の上面が当接する位置に凸部３２が突設されている。
【００１８】
図３乃至図５に示すように、本体部４は上下が解放された筒状であって、吸気口４１、通気路４２、連通口４３が形成されている。又、本体部４の上方はカバー体３によって覆われており、外周に形成された係合部４７が被係合部３１と係合している。又、下方はアダプター５を介して排水トラップ８に接続されている。
吸気口４１は本体部４の中心を挟んで対向する位置に形成された、外部からの空気が流入する開口であり、本体部４内側に向けて通気路４２が連続している。
通気路４２は吸気口４１から流入された空気が通る流路であり、対向する吸気口４１を繋ぐように架設されている。
連通口４３は上記通気路４２の中心において上方に向けて形成された、配管Ｐの外部と配管Ｐを繋ぐ開口であって、その中心には筒状の軸受け４６が形成されている。又、当該軸受け４６に弁体６の弁軸６２が挿通されている。ここで、連通口４３の上端は弁体６が当接することによって連通口４３を開閉する弁座４４として機能する。
【００１９】
図６に示すように、弁体６はゴム等の軟質材によって一体成型され、平面視円形の薄板状である開閉部６１と、開閉部６１の中央裏面から下方に向けて延設された弁軸６２から成り、配管Ｐ内が負圧になった際に変位するとともに、当該弁軸６２の外周には硬質材から成る剛性部材７が取り付けられている。
開閉部６１は連通口４３よりも大径であって、弁体６が下降している状態において、その裏面が弁座４４と全周に亘り当接する。これにより、開閉部６１は連通口４３を上方から隙間なく覆い、配管Ｐ内が正圧又は配管Ｐと配管Ｐの外部の圧力が等しい状態において連通口４３を閉塞し、外部と配管Ｐを完全に遮断することで、配管Ｐからの臭気や害虫の逆流を防止している。一方、配管Ｐが負圧となり、弁体６が上昇した際には連通口４３を開放し、外部の空気が配管Ｐ内に導入される。
弁軸６２は開閉部６１の中央裏面より下方に向けて延設され、軸受け４６に挿通されていると共に、外周に剛性部材７が取り付けられている。即ち、弁軸６２は弁体６の変位方向に延設されており、弁体６の変位方向を案内する。又、弁軸６２は中程が一部小径となっており、当該小径部分に剛性部材７が嵌着されている。尚、弁軸６２は弁体６が作動により変位する幅よりも長く形成されている。
剛性部材７はＰＰ等の非耐熱性の硬質樹脂であって、弁体６を構成する軟質材よりも剛性が高く、且つ摩擦係数の低い素材から成り、一部が切り欠かれた断面視Ｃ字状のリング体を成している。尚、剛性部材７の内径は、弁軸６２の小径部分とほぼ同一であり、弁軸６２下端よりも小径となっている。又、剛性部材７が弁軸６２に取り付けられた状態において、剛性部材７の外周は弁軸６２の外周よりも外側に位置しており、弁軸６２を補強している。
【００２０】
上記通気弁１は、以下のように組み立てられる。
まず、剛性部材７の切り欠き部分を拡開させ、弁体６の弁軸６２に剛性部材７を取り付ける。この時、剛性部材７は弁軸６２の小径部分に配置され、弁軸６２下端から剛性部材７が抜脱することはない。
次に、剛性部材７が取り付けられた弁軸６２を軸受け４６に挿通する。この時、弁軸６２と軸受け４６によって弁体６の変位方向が案内されるとともに、軸受け４６の内周面には摩擦係数の低い剛性部材７の外周が当接することから、弁体６をスムーズに変位させることができる。
最後に、本体部４の係合部４７にカバー体３の被係合部３１を係合させ、アダプター５を介して排水トラップ８の第二屈曲部８４に通気弁１を接続することで組み立てが完了する。
【００２１】
上記通気弁１が接続された配管Ｐ内の圧力が外部に比べて低くなり、配管Ｐ内が負圧となった場合、当該負圧によって弁体６が上方に向けて変位し、連通口４３を開放する。この時、図７及び図８において矢印で示すように、外部の空気が吸気口４１より流入し、通気路４２を通り本体部４の中央にまで到達した後、連通口４３を通過し、排水トラップ８の第二屈曲部８４より配管Ｐ内に導入される。
上記空気の導入によって、配管Ｐ内の負圧を解消されることから、通気弁１は封水が下流側へ流れてしまうことを防ぐことが可能となる。尚、上方に向けて変位した弁体６はカバー体３の中央裏面に形成された凸部３２に当接するため、弁体６がカバー体３に張り付いてしまうことはない。
配管Ｐ内の負圧が解消されると、弁体６は自重によって下方へと変位し、弁座４４と当接することで開閉部６１が再び連通口４３を閉塞する。
【００２２】
一方、配管Ｐ内の圧力が外部に比べて高くなり、配管Ｐ内が正圧となった場合には、弁体６に対し、開閉部６１が弁座４４に当接する方向に圧力が加わることから、弁体６の開閉部６１は連通口４３の閉塞を維持し、配管Ｐ内の空気が外部へと排出されることはない。
【００２３】
上記通気弁１において、弁体６は開閉部６１が弁座４４に当接する下降位置から、凸部３２と当接する上昇位置までの幅において変位可能となっている。一方、当該弁体６が変位可能な幅よりも弁軸６２が長く形成されていることから、弁軸６２が変形しない限りにおいて弁体６が通気弁本体２から外れることはない。ここで、本発明の通気弁１は弁軸６２に対して剛性部材７が取り付けられていることから、弁軸６２の変形を防ぐことができる。従って、本発明の通気弁１は、部材の輸送中や施工中に外部から応力が加わったとしても、確実に弁体６の外れを防止することができる。
又、上述の通り、剛性部材７は弁体６を形成する軟質材よりも摩擦係数が低いことから、配管Ｐ内に負圧が発生した際における弁体６の変位をスムーズにすることができる。
又、本発明の剛性部材７は成形が完了した弁体６に対して後付けされることから、金型を高温にして成形する、一般的なゴム等の軟質材の成形方法によって弁体６を成形することができる。即ち、剛性部材７をＰＰ等の非耐熱素材とすることが可能となるため、安価且つ容易に通気弁１を製造することができる。
又、剛性部材７が断面視略Ｃ字状のリング体であることから、成形が完了した弁体６に対して容易に取り付けることができ、生産性が向上する。
【００２４】
本発明の第一実施形態は以上であるが、本発明の通気弁は上記第一実施形態の形状に限られるものではない。尚、以下に記載する各実施形態について、上記第一実施形態と同一の構成に関しては、第一実施形態と同一の番号を付してその記載を省略する。
【００２５】
上記第一実施形態において、剛性部材７は断面視Ｃ字状のリング体であって、１つの部材から成る形状であったが、図９に示す第二実施形態のように、剛性部材７が２つ以上の部材を組み合わせることによって形成されても良い。尚、組み合わせの方法については係合・嵌合・接着等、その方法は適宜選択可能である。第二実施形態によれば、剛性部材７の形状を円形又はその他の形状とすることが可能となる。
【００２６】
又、図１０に示す第三実施形態や、図１１に示す第四実施形態のように、剛性部材７が弁軸６２の内側に配置されていても良い。当該第三実施形態に係る剛性部材７は断面視略円形であって、第四実施形態に係る剛性部材７は断面視略Ｃ字状のリング体を成している。
【００２７】
本発明の実施形態は以上であるが、発明の要旨を逸脱しない範囲において、種々の設計変更を加えても良い。
例えば、各実施形態における弁軸６２は弁体６の下方にのみ延設されていたが、上方に向けて延設されていても良く、上下共に延設されていても良い。又、上方にも弁軸６２が延設される場合において、当該上方に延設された弁軸６２に対しても剛性部材７を取り付けて良い。尚、上下共に弁軸６２が延設される場合において、各弁軸６２に合わせて複数の剛性部材７を使用しても良い。一方で、第三実施形態及び第四実施形態に係る弁体６のように、弁軸６２の内部に剛性部材７が配置される場合においては、上下の弁軸６２内に配置される長さを有する１つの剛性部材７を用いて、上下の弁軸６２を１つの剛性部材７によって補強しても良い。
又、上記第一実施形態において、通気弁１は流し台から連続する配管Ｐに接続されていたが、洗面台や浴槽から連続する配管に接続されても良い。
又、配管Ｐは排水配管に限られるものではなく、通気弁が必要とされる配管であればどのような用途・形状であっても良い。
又、本発明は剛性部材の素材を非耐熱素材とする際に特に有用であるが、当該剛性部材の素材を非耐熱素材に限定するものではない。従って、剛性部材の素材を金属やセラミック等の耐熱素材としても良い。
【符号の説明】
【００２８】
１          通気弁
２          通気弁本体
３          カバー体
３１        被係合部
３２        凸部
４          本体部
４１        吸気口
４２        通気路
４３        連通口
４４        弁座
４６        軸受け
４７        係合部
５          アダプター
６          弁体
６１        開閉部
６２        弁軸
７          剛性部材
８          排水トラップ
８１        第一の下り部
８２        第一屈曲部
８３        昇り部
８４        第二屈曲部
８５        第二の下り部
８６        封水部
Ｐ          配管
【図１】
2020122527.tif 000003
【図２】
2020122527.tif 000004
【図３】
2020122527.tif 000005
【図４】
2020122527.tif 000006
【図５】
2020122527.tif 000007
【図６】
2020122527.tif 000008
【図７】
2020122527.tif 000009
【図８】
2020122527.tif 000010
【図９】
2020122527.tif 000011
【図１０】
2020122527.tif 000012
【図１１】
2020122527.tif 000013